(57)【特許請求の範囲】
【請求項１】
メモリカードが挿入されるスロットが底面に開口した接続凹部を有するハウジングと、
前記ハウジングに対して取り付けられ前記接続凹部を開閉する扉体と、
データの読み書きの指示が入力される指示入力部と、
前記扉体が開いているか閉じているかを判定する開閉判定部と、
前記開閉判定部による判定結果と前記指示入力部に入力された指示とに応じて、前記スロットに挿入されたメモリカードに対するデータの読み書きを行うリーダライタ部とを備え、
前記リーダライタ部は、前記開閉判定部により前記扉体が開いていると判定されていても、前記開閉判定部により前記扉体が開いていると判定されている状態の継続時間が所定の禁止時間に達するまでは、前記指示入力部に入力された指示に応じて前記メモリカードに対するデータの読み書きを行うことを特徴とするメモリカード接続装置。
【発明の詳細な説明】
【技術分野】
【０００１】
本発明は、メモリカード接続装置に関するものである。
【背景技術】
【０００２】
従来から、メモリカードが接続されるメモリカード接続装置が提供されている。この種のメモリカード接続装置としては、例えば、接続されたメモリカードに対する読み書きを外部装置との通信内容に応じて行うリーダライタやデータロガーなどがある。
【０００３】
また、この種のメモリカード接続装置として、メモリカードが挿抜されるスロットが底面に開口した接続凹部を有するハウジングと、接続凹部を開閉する扉体とを備えるものがある。上記のメモリカード接続装置によれば、スロットへの埃等の異物の進入を扉体によって抑えることができる。
【０００４】
さらに、扉体が開いているか閉じているかを判定する開閉判定部を有し、少なくとも開閉判定部によって扉体が開いていると判定された直後にはメモリカードに対する読み書きが不可能となるように構成されたメモリカード接続装置もある（例えば、特許文献１参照）。
【先行技術文献】
【特許文献】
【０００５】
【特許文献１】特開２００９−０４８４４９号公報
【発明の概要】
【発明が解決しようとする課題】
【０００６】
しかしながら、上記従来のメモリカード接続装置では、例えば振動により、実際には扉体が閉じているにも関わらず扉体が開いていると開閉判定部が一時的に誤判定した場合、メモリカードに対する読み書きが中断されてしまっていた。
【０００７】
本発明は、上記事由に鑑みて為されたものであり、その目的は、メモリカードに対する読み書きが中断されにくいメモリカード接続装置を提供することにある。
【課題を解決するための手段】
【０００８】
本発明は、メモリカードが挿入されるスロットが底面に開口した接続凹部を有するハウジングと、前記ハウジングに対して取り付けられ前記接続凹部を開閉する扉体と、データの読み書きの指示が入力される指示入力部と、前記扉体が開いているか閉じているかを判定する開閉判定部と、前記開閉判定部による判定結果と前記指示入力部に入力された指示とに応じて、前記スロットに挿入されたメモリカードに対するデータの読み書きを行うリーダライタ部とを備え、前記リーダライタ部は、前記開閉判定部により前記扉体が開いていると判定されていても、前記開閉判定部により前記扉体が開いていると判定されている状態の継続時間が所定の禁止時間に達するまでは、前記指示入力部に入力された指示に応じて前記メモリカードに対するデータの読み書きを行うことを特徴とする。
【発明の効果】
【０００９】
本発明によれば、実際には扉体が閉じているにも関わらず扉体が開いているというように開閉判定部が例えば振動によって一時的に誤判定したとしても、その誤判定の継続時間が上記の禁止時間以内であればメモリカードに対するデータの読み書きが中断されることはない。従って、扉体が開いていると開閉判定部が判定している期間に常にメモリカードに対するデータの読み書きが禁止される場合に比べ、メモリカードに対するデータの読み書きが中断されにくい。
【図面の簡単な説明】
【００１０】
【図１】本発明の実施形態を示すブロック図である。
【図２】同上を示す斜視図である。
【図３】同上において扉体が取り外された状態を示す斜視図である。
【図４】同上の扉体を示す斜視図である。
【図５】同上の要部を示す左側面図である。
【図６】同上において図５のＡ−Ａ断面の要部を示す断面図である。
【発明を実施するための形態】
【００１１】
以下、本発明を実施するための最良の形態について、図面を参照しながら説明する。
【００１２】
本実施形態は、図２及び図３に示すように、メモリカード６が挿入されるスロット１０が底面に開口した接続凹部１１を有するハウジング１と、ハウジング１に対して取り付けられ接続凹部１１を開閉する扉体２とを備える。ハウジング１と扉体２とはそれぞれ例えば合成樹脂からなる。
【００１３】
メモリカード６は、扁平な外形を有し、内部に半導体メモリのような記憶手段（図示せず）を有するとともに、この記憶手段にアクセスするための複数個の端子（図示せず）が一面に設けられたものである。このようなメモリカード６としては例えばＳＤメモリカードやマルチメディアカードがある。スロット１０内には、それぞれ例えば金属のような導電材料からなりメモリカード６の端子に対して一対一に接触導通する複数個のコンタクト（図示せず）が保持されている。
【００１４】
さらに、ハウジング１には、外部装置（図示せず）に一端が接続される信号線の他端に設けられたプラグ（図示せず）が挿入接続されるレセプタクル３１，３２が保持されている。上記の外部装置としては例えば各種の測定装置やパーソナルコンピュータなどが考えられる。また、上記の信号線としては例えばＬＡＮケーブルやＲＳ２３２Ｃケーブルを用いることができる。さらに、本実施形態は、図１に示すように、上記の信号線とプラグとレセプタクル３１，３２とを介して上記の外部装置との間で信号を送受信する通信部３と、通信部３に入力（受信）された信号に応じて上記のコンタクトを介してメモリカード６に対する読み書きを行うリーダライタ部４とを備える。上記の通信部３とリーダライタ部４とはそれぞれ電子回路からなり、ハウジング１内に収納及び保持されている。上記のようなレセプタクル３１，３２や通信部３やリーダライタ部４は周知技術で実現可能であるので詳細な図示並びに説明は省略する。
【００１５】
以下、上下左右は図２を基準とし、スロット１０からメモリカード６が抜かれる方向（図２での左下方向）を前方と呼んで、本実施形態の構造について説明する。つまり、接続凹部１１及びスロット１０はそれぞれハウジング１の前面に開口している。また、扉体２の形状については、図２のように接続凹部１１を閉塞した状態（後述する閉位置にある状態）での向きを基準として説明する。
【００１６】
扉体２は、図４に示すように、接続凹部１１内に収まる扁平な寸法形状の本体部２１と、それぞれ本体部２１の左端部（図４での右端部）に連結され互いに同一直線上に中心軸を有する円柱形状の２個の軸部２２とを有する。より具体的には、本体部２１の左端部（図４での右端部）の後面には３個の連結凸部２１ａが上下に並べて後方へ突設されており、各軸部２２はそれぞれ連結凸部２１ａ間に架設されている。
【００１７】
また、ハウジング１において、接続凹部１１の底面の左端部には、各軸部２２に対して軸受け凸部１２ａ，１２ｂが２個ずつ設けられている。各軸受け凸部１２ａ，１２ｂはそれぞれ軸部２２の外径に略等しい内径を有し軸方向を上下方向に向けた半円筒形状であり、全ての軸受け凸部１２ａ，１２ｂの中心軸は同一直線上に並んでいる。さらに、４個の軸受け凸部１２ａ，１２ｂのうち、上下両端に位置する２個の軸受け凸部（以下、「第１軸受け凸部」と呼ぶ。）１２ａはそれぞれ左側に開口し、残り２個の（つまり内側に位置する）軸受け凸部（以下、「第２軸受け凸部」と呼ぶ。）１２ｂはそれぞれ前方に開口している。そして、各軸部２２に対し、それぞれ１個ずつの第１軸受け凸部１２ａと軸受け凸部１２ｂとが、全体として左前方に開口し幅が軸部２２の外径よりも小さい切欠を有する円筒形状の軸受け部１２を構成している。
【００１８】
ハウジング１に対して扉体２を取り付ける際には、各軸部２２をそれぞれ左前方から軸受け部１２に押し込む。すると、各第１軸受け凸部１２ａの弾性変形によって各軸部２２がそれぞれ軸受け部１２に導入される。各軸部２２がそれぞれ完全に押し込まれて各第１軸受け凸部１２ａがそれぞれ弾性復帰すると、図５及び図６に示すように、各軸部２２はそれぞれ軸受け部１２に嵌め込まれた形となり、ここにおいて扉体２はハウジング１に対して軸受け部１２の中心軸周り（すなわち各軸受け凸部１２ａ，１２ｂの中心軸周り）に回転可能に連結される。
【００１９】
上記の連結を維持したままでの扉体２のハウジング１に対する可動範囲は、上方から見て反時計回り方向については図２に示すように本体部２１の右端部の後面が接続凹部１１の底面に当接する位置（以下、「閉位置」と呼ぶ。）までとなり、上方から見て時計回り方向については本体部２１の左端部がハウジング１に当接する位置（以下、「開位置」と呼ぶ。）までとなる。
【００２０】
扉体２が閉位置にある状態では、接続凹部１１が扉体２の本体部２１によって閉塞され、つまり前方から見てスロット１０が扉体２の本体部２１によって覆われるから、スロット１０に対するメモリカード６の挿抜が不可能となる。また、少なくとも扉体２が開位置にある状態では、接続凹部１１が開放されて前方から見てスロット１０が露出し、スロット１０に対するメモリカード６の挿抜が可能となる。つまり、各軸部２２の軸受け部１２内での回転に伴って、本体部２１による接続凹部１１の開閉がなされる。
【００２１】
さらに、本実施形態では、閉位置にある扉体２が勝手に回転することがないようにロック機構が設けられている。具体的には、接続凹部１１の底面の上下両端には、それぞれハウジング１内の空間に連通した係止穴１１ａが設けられている。さらに、扉体２において本体部２１の上下両端には、それぞれ係止片２４が後方へ突設されている。各係止片２４は、それぞれ、上下方向に扁平であって、後端部を本体部２１に対して上下に変位させるように弾性変形可能となっている。さらに、各係止片２４において上下方向の外向きの面の後端部には、それぞれ係止凸部２４ａが上下方向の外向きに突設されている。扉体２が閉位置にある状態では各係止凸部２４ａがそれぞれ係止穴１１ａの後側の開口縁（ハウジング１の内面）に係止されることで、扉体２の回転が防止される。また、各係止凸部２４ａは、前端部及び後端部がそれぞれ前後方向の端に向かって突出寸法を小さくするように傾斜した傾斜面を構成しており、扉体２の開閉の過程では、接続凹部１１の内面上を上記の傾斜面が摺動することで、各係止片２４がそれぞれ上下方向の内向きに反り返るように一時的に弾性変形する。
【００２２】
また、扉体２において本体部２１の右端の後面には凹部（以下、「操作用凹部」と呼ぶ。）２１ｂが設けられている。閉位置にある扉体２を開く際には、操作用凹部２１ｂの内面に手の爪等を引っ掛けることで、各係止片２４をそれぞれ弾性変形させるために必要な力を加えることができる。
【００２３】
さらに、本実施形態では、扉体２の本体部２１の右下端部（図４での左下端部）の後面に円柱形状の突起（以下、「開閉認識用突起」と呼ぶ。）２３が突設されている。そして、接続凹部１１内には、扉体２が閉位置にあるとき（つまり、上記のロック機構により扉体２の回転が防止されているとき）に開閉認識用突起２３によって押操作される押釦スイッチ（以下、「開閉認識用スイッチ」と呼ぶ。）１３が保持されている。さらに、本実施形態は、図１に示すように、開閉認識用スイッチ１３が押操作されているか否かに基いて、扉体２が開いているか閉じているかを判定する開閉判定部５を有する。すなわち、開閉判定部５は、開閉認識用スイッチ１３が押操作されている期間には扉体２が閉じていると判定し、開閉認識用スイッチ１３が押操作されていない期間には扉体２が開いていると判定する。
【００２４】
そして、リーダライタ部４は、開閉判定部５により扉体２が開いていると判定されている状態の継続時間が所定の禁止時間に達してから次に開閉判定部５により扉体２が閉じていると判定されるまでの期間には、通信部３への入力に関わらず、メモリカード６に対するデータの読み書きを行わない。言い換えると、リーダライタ部４は、上記以外の期間、すなわち、開閉判定部５により扉体２が閉じていると判定されている期間と、開閉判定部５による判定結果が扉体２が開いているとの判定に変化してから上記の禁止時間が経過するまでの期間とにのみ、通信部３への入力に応じてメモリカード６に対するデータの読み書きを行う。つまり、通信部３が指示入力部である。
【００２５】
上記の禁止時間は、扉体２を開いてメモリカード６を抜くために必要と推定される時間よりも短くされ、例えば０．５秒とされる。
【００２６】
上記構成によれば、実際には扉体２が閉じているにも関わらず扉体２が開いているというように開閉判定部５が例えば振動によって一時的に誤判定したとしても、その誤判定の継続時間が上記の禁止時間以内であればメモリカード６に対するデータの読み書きが中断されることはない。従って、扉体２が開いていると開閉判定部５が判定している期間に常にメモリカード６に対するデータの読み書きが禁止される場合に比べ、メモリカード６に対するデータの読み書きが中断されにくい。
【００２７】
なお、指示入力部として、押釦スイッチ等の適宜の入力装置により操作入力を受け付ける操作部（図示せず）を設け、この操作部への操作入力に応じてリーダライタ部４がメモリカード６に対するデータの読み書きを行うようにしてもよい。
【符号の説明】
【００２８】
１  ハウジング
２  扉体
３  通信部（指示入力部）
４  リーダライタ部
５  開閉判定部
６  メモリカード
１０  スロット
１１  接続凹部
【図１】
0005476241.tif 000002
【図２】
0005476241.tif 000003
【図３】
0005476241.tif 000004
【図４】
0005476241.tif 000005
【図５】
0005476241.tif 000006
【図６】
0005476241.tif 000007